(57)【要約】      （修正有）【課題】靴面の広さや、靴の長さを調整することができる靴を提供する。【解決手段】前方部１と、靴面帯２と、後方部３とを含んでなり、前方部１と靴面帯２とが互いに接続され、前方部と後方とが接続部材５で互いに接続され、前方部は、一列以上に排列した接続孔１１を設けてなり、靴面帯２が幅を調整できる自由さを供することができ、前方部１と後方部３との接続部の一面には矩形凹溝１２２が設けられ、接続部材５を嵌合して互いに接続する。【選択図】図２
0003155001.tif 000002
【実用新案登録請求の範囲】
【請求項１】
前方部と、靴面帯と、後方部とを含んでなり、前方部と靴面帯とが互いに接続され、前方部と後方とが接続部材で互いに接続され、
該前方部は、一列以上に排列した接続孔を設けてなり、靴面帯が幅を調整できる自由さを供することができ、
前方部と後方部との接続部の一面には矩形凹溝が設けられ、接続部材を嵌合して互いに接続することを特徴とする靴。
【請求項２】
前方部と、靴面帯と、後方部とを含んでなり、前方部と靴面帯とが互いに接続され、前方部と後方とが接続部材で互いに接続され、
該前方部は、一列以上に排列した接続孔を設けてなり、靴面帯が幅を調整できる自由さを供することができ、
前方部と後方部との接続部が階段状面を呈して互いに接続され、前方部と後方部の接続部の一面には矩形凹溝が設けられ、接続部材を嵌合して互いに接続することを特徴とする靴。
【請求項３】
前記前方部と、後方部との接続が、前方部と後方部の接続部の階段状面上にそれぞれ設けられた円弧状凹溝と凸部とを互いに嵌合して組み合わせることを特徴とする請求項２に記載の靴。
【請求項４】
前方部と、靴面帯と、後方部とを含んでなり、前方部と靴面帯とが互いに接続され、前方部と後方とが接続部材で互いに接続され、
該前方部は、一列以上に排列した接続孔を設けてなり、靴面帯が幅を調整できる自由さを供することができ、
前方部と後方部はエ字状接続部材に置き換えて互いに接続することを特徴とする靴。
【請求項５】
前記前方部と後方部が、間に靴段を増設することを特徴とする請求項１、２、或いは４に記載の靴。
【請求項６】
前記靴段が、異なる長さを具えてなることを特徴とする請求項５に記載の靴。
【請求項７】
前記前方部と後方部とが接続において円弧状凹溝と、凸部とを互いに組み合わせて接続することを特徴とする請求項１、或いは４に記載の靴。
【請求項８】
前記前方部と後方部と靴段とが、間に一以上の接続部材を設けて互いに接続することを特徴とする請求項１、２、或いは４に記載の靴。
【請求項９】
前記靴面帯が、Ｙ字状の靴面帯に変えてもよく、その接続部がそれぞれ前方部の接続孔に対応して接続されることを特徴とする請求項１、２、或いは４に記載の靴。
【請求項１０】
前記前方部と、後方部と、靴段とが、間を円弧状凹溝と凸部とで互いに接続することを特徴とする請求項５に記載の靴。
【請求項１１】
前方部と、靴面帯と、後方部と、を含んでなり、
該前方部は、一列以上に排列した接続孔を設けてなり、靴面帯が幅を調整できる自由さを供することができ、前方部が鋸状の凸部を具えた接続部を設けてなり、後方部が鋸状の凹溝を具えた接続部を設けてなり、前方部と後方部とが鋸状の凸部と凹溝の接続部で互いに接続、或いは分離する目的を達成する構造からなることを特徴とする靴。
【請求項１２】
前記接続孔が、長方形の凹溝の内部に長方形の凸状体を具えてなり、靴面帯に設けられた内部に凹溝を具えてなる長方形凸状体の接続部と、雄・雌のフックを嵌合する方法で接続することを特徴とする請求項１１に記載の靴。
【請求項１３】
前記接続孔が、円状凹溝に形成され、靴面帯には円状凸部を具えた接続部が形成され、雄・雌のフックを嵌合する方法で接続することを特徴とする請求項１１に記載の靴。
【請求項１４】
前記接続孔が、靴底と一体に成形されることを特徴とする請求項１２、或いは１３に記載の靴。
【請求項１５】
前方部と、靴面帯と、後方部とを含んでなり、
該前方部が鋸状の凸部の接続部を具えてなり、後方部には鋸状の凹溝の接続部を具えてなり、前方部と後方部が鋸状の凸部と鋸状の凹溝の接続部で互いに接続し、外れにくいという目的を達成する構造からなることを特徴とする靴。
【請求項１６】
前記靴面帯が、鼻緒のように足の指で挟んで着用するＹ字状の靴面帯に置き換えてもよく、該靴面帯の接続部がそれぞれ前方部と、後方部の接続孔に対応して互いに接続することを特徴とする請求項１５に記載の靴。
【請求項１７】
前記靴面帯が、Ｙ事情の靴面帯に置き換えてもよく、靴底と一体に成形されることを特徴とする請求項１５に記載の靴。
【考案の詳細な説明】
【技術分野】
【０００１】
この考案は、靴に関し、特に外出時、足部に着用して足裏を保護する靴に関する。
【背景技術】
【０００２】
従来の靴は、靴底と靴面とを組み合わせてなる本体を含んでなる。
【０００３】
市販されている靴は通常いずれも、様々なサイズ番号で靴の大きさを分けている。靴のサイズ番号は様々な人の足裏の長さに合わせて便利なように数十種類以上に達する。
【０００４】
靴の靴面は足の甲、足裏を被覆し、靴底に接続して保護する目的を達成する。
【０００５】
靴の保護によって、異なる状況における走行運動がさらに便利になり、且つ走行運動の時間を延長することができる。
【０００６】
上述の靴の構造は長い間、靴底により異なる靴のサイズが形成される。よって、靴面の広さは通常、靴底のサイズに比例して適宜な広さに形成される。
【０００７】
また、多くの靴面帯は固定式（分離することが難しい、或いは分離することができない）で靴底と互いに接続して設けられるため、靴面を自由に変えることができない。
【考案の概要】
【考案が解決しようとする課題】
【０００８】
この考案は、靴面の広さや、靴の長さを調整することができる靴を提供することを課題とする。
【課題を解決するための手段】
【０００９】
そこで、本考案者は従来の技術に見られる欠点に鑑みて鋭意研究を重ねた結果、前方部と、靴面帯と、後方部とを含んでなり、前方部と靴面帯とが互いに接続され、前方部と後方とが接続部材で互いに接続され、
該前方部は、一列以上に排列した接続孔を設けてなり、靴面帯が幅を調整できる自由さを供することができ、
前方部と後方部との接続部の一面には矩形凹溝が設けられ、接続部材を嵌合して互いに接続する靴によって課題を解決できる点に着眼し、かかる知見に基づいて本考案を完成させた。
【００１０】
以下、この考案について具体的に説明する。
請求項１に記載の前方部と、靴面帯と、後方部とを含んでなり、前方部と靴面帯とが互いに接続され、前方部と後方とが接続部材で互いに接続され、
該前方部は、一列以上に排列した接続孔を設けてなり、靴面帯が幅を調整できる自由さを供することができ、
前方部と後方部との接続部の一面には矩形凹溝が設けられ、接続部材を嵌合して互いに接続する。
【００１１】
請求項２に記載の靴は、前方部と、靴面帯と、後方部とを含んでなり、前方部と靴面帯とが互いに接続され、前方部と後方とが接続部材で互いに接続され、
該前方部は、一列以上に排列した接続孔を設けてなり、靴面帯が幅を調整できる自由さを供することができ、
前方部と後方部との接続部が階段状面を呈して互いに接続され、前方部と後方部の接続部の一面には矩形凹溝が設けられ、接続部材を嵌合して互いに接続する。
【００１２】
請求項３に記載の靴は、請求項２における前方部と、後方部との接続が、前方部と後方部の接続部の階段状面上にそれぞれ設けられた円弧状凹溝と凸部とを互いに嵌合して組み合わせる。
【００１３】
請求項４に記載の靴は、前方部と、靴面帯と、後方部とを含んでなり、前方部と靴面帯とが互いに接続され、前方部と後方とが接続部材で互いに接続され、
該前方部は、一列以上に排列した接続孔を設けてなり、靴面帯が幅を調整できる自由さを供することができ、
前方部と後方部はエ字状接続部材に置き換えて互いに接続する。
【００１４】
請求項５に記載の靴は、請求項１、２或いは４における前方部と後方部が、間に靴段を増設する。
【００１５】
請求項６に記載の靴は、請求項５における靴段が、異なる長さを具えてなる。
【００１６】
請求項７に記載の靴は、請求項１、或いは４における前方部と後方部とが接続において円弧状凹溝と、凸部とを互いに組み合わせて接続する。
【００１７】
請求項８に記載の靴は、請求項１、２、或いは４における前方部と後方部と靴段とが、間に一以上の接続部材を設けて互いに接続する。
【００１８】
請求項９に記載の靴は、請求項４における靴面帯が、Ｙ字状の靴面帯に変えてもよく、その接続部がそれぞれ前方部の接続孔に対応して接続される。
【００１９】
請求項１０に記載の靴は、請求項５における前方部と、後方部と、靴段とが、間を円弧状凹溝と凸部とで互いに接続する。
【００２０】
請求項１１に記載の靴は、前方部と、靴面帯と、後方部と、を含んでなり、
該前方部は、一列以上に排列した接続孔を設けてなり、靴面帯が幅を調整できる自由さを供することができ、前方部が鋸状の凸部を具えた接続部を設けてなり、後方部が鋸状の凹溝を具えた接続部を設けてなり、前方部と後方部とが鋸状の凸部と凹溝の接続部で互いに接続、或いは分離する目的を達成する構造からなる。
【００２１】
請求項１２に記載の靴は、請求項１１における接続孔が、長方形の凹溝の内部に長方形の凸状体を具えてなり、靴面帯に設けられた内部に凹溝を具えてなる長方形凸状体の接続部と、雄・雌のフックを嵌合する方法で接続する。
【００２２】
請求項１３に記載の靴は、請求項１１における接続孔が、円状凹溝に形成され、靴面帯には円状凸部を具えた接続部が形成され、雄・雌のフックを嵌合する方法で接続する。
【００２３】
請求項１４に記載の靴は、請求項１２、或いは１３における接続孔が、靴底と一体に成形される。
【００２４】
請求項１５に記載の靴は、前方部と、靴面帯と、後方部とを含んでなり、
該前方部が鋸状の凸部の接続部を具えてなり、後方部には鋸状の凹溝の接続部を具えてなり、前方部と後方部が鋸状の凸部と鋸状の凹溝の接続部で互いに接続し、外れにくいという目的を達成する構造からなる。
【００２５】
請求項１６に記載の靴は、請求項１５における靴面帯が、鼻緒のように足の指で挟んで着用するＹ字状の靴面帯に置き換えてもよく、該靴面帯の接続部がそれぞれ前方部と、後方部の接続孔に対応して互いに接続する。
【００２６】
請求項１７に記載の靴は、請求項１５における靴面帯が、Ｙ事情の靴面帯に置き換えてもよく、靴底と一体に成形される。
【考案の効果】
【００２７】
この考案による靴は、様々な足の形状、サイズの人に合わせて調整することができ、便利で実用的であるという効果を有する。
【図面の簡単な説明】
【００２８】
【図１】この考案の靴を示した斜視図である。
【図２】この考案の靴の前方部に一列以上排列した接続孔を設けた実施形態を示した分解図である。
【図３】この考案の靴を示した断面図である。
【図４】この考案の靴に靴段を設ける実施形態を示した分解図である。
【図５】この考案の靴の接続面を階段状に形成する実施形態を示した説明図である。
【図６】この考案の靴の接続部材をエ字状に形成する実施形態を示した説明図である。
【図７】この考案の靴の靴帯面をＹ字状に形成する実施形態を示した説明図である。
【図８】この考案の靴の接続孔の他の実施形態を示した説明図である。
【図９】この考案の靴の接続孔のその他の実施形態を示した説明図である。
【図１０】この考案の靴の接続面を鋸状に形成する実施形態を示した分解図である。
【図１１】図１０に開示する靴の接続面を示した断面図である。
【図１２】この考案の靴の靴帯面を後方部にも設けた実施形態を示した説明図である。
【図１３】図１２に開示する靴を組み合わせた状態を示した斜視図である。
【図１４】この考案の靴の靴帯面をＹ字状に形成する形態の他の実施形態を示した説明図である。
【図１５】この考案の靴の靴帯面をＹ字状に形成する形態のその他の実施形態を示した説明図である。
【考案を実施するための形態】
【００２９】
この考案は、靴面の広さや、靴の長さを調整することができる靴であって、前方部と、靴面帯と、後方部とを含んでなり、前方部と靴面帯とが互いに接続され、前方部と後方とが接続部材で互いに接続され、該前方部は、一列以上に排列した接続孔を設けてなり、靴面帯が幅を調整できる自由さを供することができ、前方部と後方部との接続部の一面には矩形凹溝が設けられ、接続部材を嵌合して互いに接続する靴の構造と特徴を詳述するために具体的な実施例を挙げ、図示を参照にして以下に説明する。
【実施例】
【００３０】
図１は、この考案の靴を示した斜視図である。
該靴は、前方部１と、靴面帯２と、後方部３と、該前方部１と靴面帯２と後方部３とを接続する接続部材５とを含んでなる。
【００３１】
図２に開示するように、この実施形態の靴は、前方部１の両側それぞれに一列以上の接続孔１１を設けてなる。該接続孔１１は好みの形状に形成することができる。この実施形態では、長方形に形成する。
【００３２】
よって、靴面帯２は、足のサイズに応じて幅を調整することができる選択性を具える。
【００３３】
また、前方部１は別に接続部１２が設けられ、該接続部１２の面の略中間には円弧状凹溝１２１が形成される。
【００３４】
該円弧状凹溝１２１は両側にそれぞれ矩形凹溝１２２を設けてなる。該矩形凹溝は内側底面に接続孔１２３が設けられる。
【００３５】
該靴面帯２は、両側端縁部にそれぞれ複数の長方形の接続部２１を設けてなる。該接続部２１はそれぞれ、前方部１上に排列して形成された接続孔１１に対応して設けられ、互いに緊密に接続する。
【００３６】
該後方部３は、接続部３１を設けてなり、該接続部３１の面の略中間には円弧状の側面を具えた円弧状凸部３１１が設けられる。
【００３７】
該円弧状凸部３１１は、前方部１の接続部１２の円弧状凹溝１２１と互いに緊密に接続して位置決めされる。
【００３８】
また、該円弧状凸部３１１は両側にそれぞれ矩形凹溝３１２を設けてなり、該矩形凹溝３１２の内側底面に接続孔３１３が設けられる。
【００３９】
該接続部材５は、長方形を呈し、矩形凹溝１２２、３１２内に組み合わせて緊密に固定するために使用する。
【００４０】
該接続部５は該矩形凹溝１２２、３１２に対向する側面に小型円柱５１を一体に設けてなる。
【００４１】
接続部５で、前方部１と、後方部３とを互いに接続する場合、該接続部５を矩形凹溝１２２、３１２に対応して挿入し、小型円柱５１を接続孔１２３、３１３に挿設して緊密に固定する。
【００４２】
図３は、この考案の靴を示した断面図である。図面によれば、上述の通りに組み合わせた靴は、靴面帯２を調整する場合、着用者の足部のサイズに合わせて靴面帯２の両側を適宜に調整し、靴面の幅を調整する目的を達成する。
【００４３】
図４は、この考案の靴の他の実施形態を示した分解図である。
【００４４】
図面によれば、この靴は前方部１と後方部３との間に少なくとも一以上の靴段４を設けて、着用者の需要に応じて靴の長さを調整することができる。
【００４５】
増設する靴段４は、前方部１の幅と等しくなるように形成し、異なる長さに形成するため、靴全体の長さを調整するために使用することができて便利である。
【００４６】
該靴段４の本体は、前方部１と同様に接続部４０と、円弧状凹溝４０１と、矩形凹溝４０２と、接続孔４０３と、後方部３と同様に接続部４１と、円弧状凸部４１１と、矩形凹溝４１２と、接続孔４１３とを含んでなる。
【００４７】
該靴段４はそれぞれ、接続部４０、４１が前方部１、後方部３の接続部１２、３１と互いに接続する。
【００４８】
上述の靴を着用する場合、一列以上排列された接続孔１１を利用して、靴面帯２で幅を調整することができる自由さを供し、靴面の広さを調整する目的を達成することができる。
【００４９】
また、靴段４を増設して異なる長さに変えることができ、接続部材５で前方部１と、後方部３との間を互いに接続することができるため、簡単で便利であるとともに、靴の長さを調整するという目的を達成することができる。
【００５０】
図５は、この考案の靴の接続面を階段状に形成する実施形態を示した分解図である。
【００５１】
該靴は、前方部１と後方部３との接続面の間に階段状面を形成して係合する。
【００５２】
よって、該階段状面は垂直方向の力を有効に吸収し、靴底の寿命を延長することができる。
【００５３】
該前方部１の本体には、前方部１と同様に接続部１２と、矩形凹溝１２２と、接続孔１２３とを含んでなる。
【００５４】
異なるのは該接続部１２が下方向に延伸して外側に突出して凸接続面１２４であって、円弧状凹溝１２５を具えてなる。
【００５５】
該後方部３の本体は前述の実施形態の後方部３と同様の接続部３１と、矩形凹溝３１２と、接続孔３１３とを含んでなる。
【００５６】
異なるのは該接続部３１が下方向に延伸し内側に凹んだ凹接続面３１４であって、円弧状凸部３１５とを具えてなる。
【００５７】
該前方部１と後方部３との接続方法は、階段状面を具えた接続部１２、３１とを係合する。
【００５８】
凸接続面１２４と、凹接続面３１４との間は円弧状凸部３１５と、円弧状凹溝１２５とを互いに緊密に接続して位置決めする。
【００５９】
また、接続部材５で前方部１と、後方部３とを接続する。
【００６０】
該円弧状凸部３１５を円弧状凹溝１２５の上方に設け、矩形凹溝１２２、３１２が互いに対応するように係合し、接続部材５を接続孔１２３と、接続孔３１３に挿入して緊密に固定する。
【００６１】
前述の実施形態と異なるのは、接続面の間が階段状面で係合されるとともに、接続部材５で接続して靴を形成する。
【００６２】
前方部１と、後方部３との間に靴段４を増設する方法は、前述の実施形態と同様にこの実施形態においても採用する。
【００６３】
図６は、この考案の靴の接続部材をエ字状に形成する実施形態を示した分解図である。
【００６４】
図面によれば、該靴は前方部１と、後方部３とを接続する接続部材５にエ字状の接続部材５を採用し、前方部１と後方部３とを互いに接続するとともにネジ５２を設けて固定し、靴底との接続強度を高める。
【００６５】
前方部１と、後方部３との間に靴段４を増設する方法は、前述の実施形態と同様にこの実施形態においても採用する。
【００６６】
図７は、この考案の靴の靴面帯を別の形態に形成する実施形態を示した分解図である。
【００６７】
図面によれば、この実施形態の靴は、足の指で鼻緒を挟むサンダルタイプであって、前方部１の両側にそれぞれ一列以上排列した接続孔１１を具えてなる。
【００６８】
該靴面帯２は、Ｙ字状の靴面帯２に形成する。該Ｙ字状の靴面帯２は両側端縁部にそれぞれ一、或いは複数の長方形の柱上の接続部２１を設けてなる。
【００６９】
該接続部２１はそれぞれ、前方部１上に排列して形成された接続孔１１に対応して設けられ互いに緊密に接続される。
【００７０】
該Ｙ字状の靴面帯２の中間の端縁部には長方形の柱状の接続部２１が設けられる。該接続部２１は、前方部１の接続孔１１に挿入され、互いに緊密に接続する。
【００７１】
Ｙ字状の靴面帯２と前方部１の接続方法が異なる以外、前方部１と、後方部３との間に靴段４を増設し、接続部材５の接続方法は前述の実施形態と同様である。
【００７２】
図８は、この考案の靴の接続孔の他の実施形態を示した分解図である。
【００７３】
図面によれば、該靴は前方部１との両側の接続孔１１が長方形の凹溝の内部に長方形の凸状体を具えてなり、該靴面帯２の両側に設けられた内部に凹溝を具えてなる長方形凸状体の接続部２１とを互いに嵌合し、雄・雌のフックを嵌合する方法で接続し、靴の幅の広さを選択できる目的を達成するだけでなく、すばやく接続、分離する目的も達成することができる。
【００７４】
図９は、上述の接続孔１１を円状凹溝に形成したものである。該接続孔１１は該靴面帯２に形成された円状凸部を具えた接続部２１と、雄・雌のフックを嵌合する方法で接続することができる。
【００７５】
図１０は、前方部１と後方部３とを鋸状面で接続する状態を示した分解図である。
【００７６】
図面によれば、この実施形態の靴は長さの調整において、前述のように靴段４を増設して明らかに長さを調節するという目的を達成する以外に、前方部１と後方部３との間を鋸状面で互いに嵌合して接続する。
【００７７】
該前方部１の接続部１２には鋸状の凸部１２６を設ける。該後方部３の接続部３１には該凸部１２６に対応するように鋸状の凹溝３１６を設ける。
【００７８】
よって、該前方部１と後方部３とは、該凸部１２６と凹溝３１６とを互いに組み合わせて接続して位置決めされる。
【００７９】
靴面帯２両側の接続部２１の形成は、前述の雄・雌のフックを嵌合する方法で緊密に接続する目的を達成する。
【００８０】
図１１は、図１０に開示する実施形態の接続部分を示した断面図である。
【００８１】
図面によれば、この実施形態では、前方部１と、後方部３とが外れないという前提の下で、該接続部１２、３１の鋸状の凸部１２６と、凹部３１６とを適宜な距離で分離して靴の長さを微妙に調整する目的を達成することができる。
【００８２】
また、前方部と後方部はいずれも、靴底と一体に成形され、図８、図９に開示するように靴面帯２が同様の接続方法で接続される。
【００８３】
図１２に開示するように、この実施形態において後方部３は、靴面帯２と、接続孔３２とを設けてなる。
【００８４】
該靴面帯２と、接続孔３２との接続方法は、前述の実施形態と同様で、靴面帯２を調整し、取り外すことが便利である。
【００８５】
上述の実施形態の靴を組み合わせた状態は図１３に開示するとおりであって、該実施形態の靴は靴底と一体に成形される。
【００８６】
図１４、１５は、異なる形態の靴面帯を設けた靴の実施形態を示したものである。
【００８７】
図面によれば、この実施形態の靴は、鼻緒のように足の指で挟んで着用する。
【００８８】
該前方部１は両側にそれぞれ接続孔１１を設けてなり、その形態は他の実施形態と同様である。
【００８９】
該靴面帯２は、Ｙ字状の靴面帯２に置き換える。該Ｙ字状の靴面帯２は、端縁部にそれぞれ接続部２１を設けてなる。
【００９０】
それぞれの接続部２１は前方部１と、後方部３上に設けられた接続孔１１、３２に対応して挿入されて互いに密接に接続する。
【００９１】
前方部１と後方部３との接続方法は、上述した方法の内の好みの方法を採用する。
【００９２】
Ｙ字状の靴面帯２の接続構造も、また一体に成形された靴底において実施される。
【００９３】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【符号の説明】
【００９４】
１            前方部
１１、１２３、３１３、４０３、４１３、３２   接続孔
１２、２１、３１、４０、４１                接続部
１２１、１２５、４０１                      円弧状凹溝
１２２、３１２、４０２、４１２              矩形凹溝
１２４        凸接続面
１２６        凸部
２            靴面帯
３            後方部
３１１、３１５、４１１      円弧状凸部
３１４        凹接続面
３１６        凹部
４            靴段
５            接続部材
５１          小型円柱
５２          ネジ
【図１】
0003155001.tif 000003
【図２】
0003155001.tif 000004
【図３】
0003155001.tif 000005
【図４】
0003155001.tif 000006
【図５】
0003155001.tif 000007
【図６】
0003155001.tif 000008
【図７】
0003155001.tif 000009
【図８】
0003155001.tif 000010
【図９】
0003155001.tif 000011
【図１０】
0003155001.tif 000012
【図１１】
0003155001.tif 000013
【図１２】
0003155001.tif 000014
【図１３】
0003155001.tif 000015
【図１４】
0003155001.tif 000016
【図１５】
0003155001.tif 000017
【手続補正書】
【提出日】平成21年8月21日(2009.8.21)
【手続補正１】
【補正対象書類名】実用新案登録請求の範囲
【補正対象項目名】請求項８
【補正方法】変更
【補正の内容】
【請求項８】
前記前方部と後方部と靴段とが、間に一以上の接続部材を設けて互いに接続することを特徴とする請求項５に記載の靴。
【手続補正２】
【補正対象書類名】実用新案登録請求の範囲
【補正対象項目名】請求項１７
【補正方法】変更
【補正の内容】
【請求項１７】
前記靴面帯が、Ｙ字状の靴面帯に置き換えてもよく、靴底と一体に成形されることを特徴とする請求項１５に記載の靴。
【手続補正３】
【補正対象書類名】明細書
【補正対象項目名】００１７
【補正方法】変更
【補正の内容】
【００１７】
請求項８に記載の靴は、請求項５における前方部と後方部と靴段とが、間に一以上の接続部材を設けて互いに接続する。
【手続補正４】
【補正対象書類名】明細書
【補正対象項目名】００２６
【補正方法】変更
【補正の内容】
【００２６】
請求項１７に記載の靴は、請求項１５における靴面帯が、Ｙ字状の靴面帯に置き換えてもよく、靴底と一体に成形される。